(57)【要約】【解決手段】ケーブル内の導体と回路基板上の導体と間の機械的強さ及びインピーダンスを一致させるカップリングを提供するコネクタ。ケーブル及び回路基板内の導体は差動信号を伝える。コネクタは、それに導電性端子を取付ける誘電性プラグから構成され、電気的な三つ組を含む。誘電性内側本体は、誘電性プラグの対応するスロットに延在する３つの導電性端子の少なくとも一つの三つ組を有する。誘電性内側本体は、機械的な結合リンク部材のラッチアームを収容するラッチアームスロットを有する。保護カバーは配線処理支持部材及び誘電性内側本体を覆って延在し、少なくとも誘電性プラグ部材を部分的に覆う。保護カバーは、ラッチ部材のアクチュエータラグと係合する保持開口を有する。保護カバーは、さらに、ラッチ部材のバイアス脚を収容するために少なくとも一つのバイアス脚凹部を有する。ラッチ部材は、誘電性プラグ部材のバイアス脚通路に延在するバイアス脚を有する。ラッチ部材は、誘電性プラグ部材、誘電性内側本体及び保護カバーを一緒に固定する。
2005530309.tif 000002
【特許請求の範囲】
【請求項１】
差動信号アプリケーションに使用されるラッチコネクタであって、
複数の導電性端子を少なくとも２つの端子列で支持する絶縁ハウジングと、
ハウジング内の別個の差動信号伝送チャネルを画定するあらかじめ選択された端子の三つ組であって、各差動信号伝送チャネルが、前記端子列の内の一方において互いに隣接して配置された１対の差動信号端子と、前記端子列の他方に差動信号端子と対向関係で配置された接地端子とを含み、差動信号伝送チャネルが交互に反転された配列で前記列に沿って連続的に配置され、これにより、各列内において、前記差動信号伝送チャネルの内の１つの前記１対の差動信号端子が別の差動信号伝送チャネルの接地端子に隣接する端子の三つ組と、
前記ハウジングによって支持され、嵌合コネクタと係合するとともに、前記コネクタと嵌合コネクタを嵌合状態で一緒に保持するラッチ組立体とを有するラッチコネクタ。
【請求項２】
前記ハウジングが、本体部分と、該本体部分から外方に延在する嵌合プラグ部分とを含み、前記端子列が、前記嵌合プラグ部分の両面に配置されている、請求項１に記載のラッチコネクタ。
【請求項３】
前記端子の各々が、接触部、テール部、及び、接触部とテール部を相互接続する本体部分を含み、端子本体部分が、前記ハウジング本体部分によって支持され、端子接触部とテール部が、前記ハウジング本体部分の両側から延在している、請求項２に記載のラッチコネクタ。
【請求項４】
ハウジング嵌合プラグ部分が、前記ハウジング本体部分と係合可能であり、前記ハウジング嵌合プラグ部分は、前記端子を収容する複数のスロットが配置されている、請求項３に記載のラッチコネクタ。
【請求項５】
ラッチ組立体が、前記ハウジングの両端に配置された１対のラッチ部材を含み、各ラッチ部材が、前記端子の外側で前記ハウジングの前方に延在する片持ち支持されたラッチアームを含む、請求項１に記載のラッチコネクタ。
【請求項６】
複数のケーブルを、前記ハウジングに対してあらかじめ選択された位置に保持するために前記ハウジングと関連付けられたケーブルホルダを更に含む、請求項５に記載のラッチコネクタ。
【請求項７】
前記ラッチ部材が、前記コネクタ内の前記ハウジングとケーブルホルダとの間の適所に保持されている、請求項６に記載のラッチコネクタ。
【請求項８】
前記ラッチ部材が、前記ハウジング本体と前記ケーブルホルダとにそれぞれ係合する保持脚を含む、請求項７に記載のラッチコネクタ。
【請求項９】
前記ラッチ部材の各々が本体部分を含み、保持脚が本体部分の２つの側面から外方に突出し、前記ラッチアームが前記本体部分の他の側面から外方に突出している、請求項８に記載のラッチコネクタ。
【請求項１０】
前記保持脚が、前記本体部分の２つの反対の側面から突出しており、前記ラッチアームが、前記保持脚の中間において前記本体部分から突出している、請求項９に記載のラッチコネクタ。
【請求項１１】
前記ラッチアームが、ラッチ穴で終端する自由端を含み、ラッチフックが、前記ハウジングプラグ部分の挿入軸から離間された高さに維持されている、請求項５に記載のラッチコネクタ。
【請求項１２】
前記ラッチアームとラッチフックが、ハウジングプラグ部分の挿入軸より上側に維持されている、請求項１１に記載のラッチコネクタ。
【請求項１３】
前記ハウジングと端子を取囲み、嵌合コネクタの一部分を収容する中空筐体を画定する導電性シールドを更に含み、ラッチ組立体が、導電性シールド中空筐体内で前記ハウジングに沿って延在する１対の離間されたラッチ部材を含む、請求項１に記載のラッチコネクタ。
【請求項１４】
前記ラッチ部材が、嵌合コネクタから前記ラッチ部材を切離すためのアクチュエータアームを含む、請求項１３に記載のラッチコネクタ。
【請求項１５】
前記ラッチ部材の各々が、前記ハウジングによって支持された本体部分と、該本体部分から延在しラッチフックで終端するラッチアームとを含み、アクチュエータアームは、ラッチアーム上のラッチフックと前記本体部分との間の位置に配置され、前記導電性シールドが、前記アクチュエータアームに対向して配置された開口を含み、それにより、前記アクチュエータアームが、導電性シールドの開口内に収容される、請求項１４に記載のラッチコネクタ。
【請求項１６】
前記ラッチ部材が、嵌合コネクタを回路基板に取付ける箇所の外側で嵌合コネクタと係合するように、前記コネクタハウジングの横方向にあらかじめ選択された距離だけ離間されている、請求項１３に記載のラッチコネクタ。
【請求項１７】
前記ラッチ部材が、３０ポンド（３０〔ｌｂｓ〕）未満の分離力によって前記コネクタが嵌合コネクタから切離されるのに対抗できるように構成され配設された、請求項１３に記載のラッチコネクタ。
【請求項１８】
前記差動信号伝送ラインのそれぞれの前記差動信号端子と接地端子が、前記コネクタの前から見たときに仮想三角形で配列された、請求項１に記載のラッチコネクタ。
【請求項１９】
前記ラッチアームが、前記ラッチ部材の本体部分の上側に延在している、請求項１５に記載のラッチコネクタ。
【請求項２０】
ケーブルを前記ハウジング本体部分に対して適切な位置に保持するケーブルホルダを更に含み、前記ラッチ部材が、ケーブルホルダと前記ハウジング本体部分とにそれぞれ係合する１対の保持脚を含む、請求項１３に記載のラッチコネクタ。
【発明の詳細な説明】
【技術分野】
【０００１】
本発明は、一般に、差動信号回路を接続するために使用されるコネクタに関し、より好ましくは、コネクタ組立体をともに金属状態に維持する高い保持力を提供するためにラッチ組立体を有するラッチ信号回路を含む差動信号回路を接続するコネクタ組立体に関する。
【背景技術】
【０００２】
差動信号アプリケーションに使用されるコネクタは、当技術分野において知られている。そのようなコネクタの中には、端子が信号−信号−接地のパターンで配列されているものがある。しかしながら、そのようなパターンは、コネクタの嵌（かん）合領域と終端領域におけるコネクタのインピーダンスの制御に問題がある。端子のインピーダンスは、２００１年８月２８日に本発明の譲受人に発行された米国特許第６，２８０，２０９号において「三つ組（"triad" ）」と呼ばれている三角パターンを使用することによって制御することができる。そのような三つ組では、２つの差動信号端子とそれと関連した１つの接地端子が三角パターンで配列され、それにより端子は、三角パターンの頂点に位置決めされる。そのような三つ組を多数使用し、その三つ組を、一部の三角パターンが正立でその間にある三角パターンが上下逆になるように反転させることは、コネクタの端子密度を高める１つの方法である。この構成は、２００１年６月１１日に出願され、本発明の譲受人が所有する係属中の国際特許出願ＰＣＴ／ＵＳ０２／１８３７２に開示されている。
【発明の開示】
【発明が解決しようとする課題】
【０００３】
しかしながら、そのような特許又は出願に記載されているコネクタにおいて利用されている係合方法は、ハウジングとハウジング若しくはシールドとシールドの摩擦接触である。これは、通常の接続においてコネクタを一緒に保持するには十分であるが、乱暴な接続及び切離しサイクルでコネクタを一緒に保持したり、それぞれが関連した接地を有する、例えば、６組以上の複数組の差動信号ケーブルを含む重いケーブルの重量を支えるには不十分である。コネクタの保持は、コネクタとその端子を一緒に維持するために重要である。
【０００４】
したがって、本発明は、「三つ組」端子配列を使用し、従来技術よりも高い保持性能を有する差動信号コネクタ組立体に関するものである。
【課題を解決するための手段】
【０００５】
本発明の一般的な目的は、嵌合コネクタと接続するための複数の「三つ組」の端子を使用し、係合後にコネクタを嵌合状態で保持するラッチシステムを利用する改善された差動信号コネクタを提供することである。
【０００６】
本発明の他の目的は、ケーブルを回路基板に接続するための、第１と第２のコネクタを含むコネクタ組立体を提供することであり、第１のコネクタが、ケーブル内の複数の差動信号線（及び接地）で終端し、第２のコネクタが、回路基板上の差動信号回路で終端しており、組立体の２つのコネクタが、コネクタの横方向に延在する少なくとも２列に配列された複数の導電性端子を有し、端子が、２つの差動信号端子及びそれと関連した１つの接地端子が仮想三角形の頂点に配列された個別の「三つ組」（triads or triplets）で配列されており、その仮想三角形が、コネクタ内で交互になっているか又は逆にされた並びで配列され、第１のコネクタの内部に少なくとも２つのラッチ部材が配置されて第１のコネクタハウジング本体に沿って長手方向に延在しており、ラッチ部材は、第２のコネクタ上のストップ面と係合可能である。
【０００７】
本発明の更に他の目的は、２つの細長いラッチアームの形のラッチ部材を提供することであり、各ラッチアームは、第２のコネクタの一以上のハウジング部分又は本体部分と係合する保持端と、該保持端の前方に突出するラッチアームに沿って配置されたラッチ端とを備える。一実施形態においては、ラッチ端は、第１のコネクタ内に形成されたスロットに収容されるフック形ラッチを備え、ラッチアームは、第１のコネクタ本体部分に沿ってその端子嵌合領域内に延在しているが、破損を防ぐために外側シェル又はシールドによって完全に取囲まれている。
【０００８】
本発明の更に他の目的は、コネクタ本体部分に沿って前方に延在する片持ち支持されたラッチアームを有するラッチ部材を提供することであり、ラッチアームは、ラッチフックで終端し、更にラッチ部材のラッチフックと保持端との間の中間に形成された後退可能なストップ部材を有する。
【０００９】
本発明の他の目的、特徴及び利点は、添付図面に関して行われる以下の詳細な説明から明らかになるであろう。
【００１０】
本発明は、その目的及び利点とともに、添付図面と関連して行われる以下の説明を参照することによって最も良く理解することができ、図において、類似の参照符号は類似の要素を示す。
【発明を実施するための最良の形態】
【００１１】
本発明は、改善されたインピーダンス特性及び改善されたコネクタ保持性能を有するＳＣＳＩ用途に特に有用な差動信号コネクタに関するものである。図１に示したように、回路基板５０は、通常の「差込み口」の意味を有するレセプタクルコネクタとして示された複数の回路基板用コネクタ５１を有し、これは、レセプタクルコネクタに抜き差し可能なハウジングに支持された複数の相手側端子と嵌合する複数の端子がコネクタの開口又はキャビティ内に支持されていることを意味する。
【００１２】
そのような３個のレセプタクルコネクタ５１が、エッジ５２に取付けられた状態で示されている。回路基板５０のエッジ５２は、コンピュータやその他の類似の電子装置等の電子装置内に配設される。レセプタクルコネクタ５１と嵌合可能な相手側コネクタ５３が設けられており、そのようなコネクタ５３はケーブル５４に終端し、その終端領域５５は、当技術分野で知れられている方法で、終端領域を保護する保護用可撓（とう）性シース又はカバー５６で取囲まれている。レセプタクルコネクタ５１は、通常、回路基板５０のエッジよりも外側に延在しており、その嵌合部分は、通常、回路基板５０とその構成要素を取囲むハウジングの壁又はパネル１３０（仮想線で示した）を貫通している。
【００１３】
図２は、相手側レセプタクルコネクタ５１から切離された嵌合コネクタ５３を示す。この図は、回路基板用コネクタ５１の差込み口又はキャビティ内に差込むことができる、導電性端子を支持する中央プラグや他の部分を有するケーブル用コネクタ５３の差込みの様子を示す。図３は、回路基板用又はレセプタクルコネクタ５１の分解図であり、この図は、コネクタの主構成要素、すなわち、内側ハウジング部材又は端子支持構造６０と、内側ハウジング６０を覆い、その少なくとも一部分を取囲むシールド部材６１と、後側又は外側ハウジング部材６２とを示す。このシールド部材６１は、接地タブ７５によって回路基板５０上の適切な接地回路に取付けられることが好ましい。
【００１４】
内側ハウジング部材６０は、好ましくは誘電性プラスチック等の絶縁性材料でモールド成形された２つの部品６３、６４から成ることが好ましい。そのような部品６３、６４はそれぞれ、後壁部分６７、６８から前方に突出するそれぞれのリーフ部６５、６６を備えている。この２つのリーフ部６５、６６はそれぞれ、複数の導電性端子６９を特定の方式で支持する。この２つのハウジング部品６３、６４はそれぞれ、その各リーフ部６５、６６によって１列の導電性端子を支持する。ハウジング部品６３、６４は、２つの部品を溶着（可塑性又は超音波）する、あるいは対応する相手側ポスト１３２を収容する相互係合孔（こう）１３１を設ける等の適切な方式で互いに係合される。
【００１５】
制御されたインピーダンス値で高速性能を実現するために、端子６９は、一般に、３つ１組、すなわち、三つ組（"triads or triplet" ）として配列されており、各端子の三つ組が、回路基板５０上の差動信号回路に接続されている。これらの三つ組の構造的な特徴は、２００１年８月２８日に発行された米国特許第６，２８０，２０９号に説明されている。そこで述べられているとともに図９に概略的に示されているように、そのような三つ組はそれぞれ、単一の接地端子７０と１対の信号端子７１を含むことが好ましい。各三つ組の信号端子７１は、差動信号、例えば、大きさは同じであるが極性が逆の信号（＋０．５〔Ｖ〕と−０．５〔Ｖ〕）に専用であり、差動信号端子は、互いに離間されてリーフ６６の一方に支持されており、関連する接地端子７０は、他方のリーフ６５上に支持され、信号端子７１から離間されている。同様に、ある三つ組の接地端子は、隣りの端子三つ組の接地端子と反転している。このように、ある端子三つ組の接地端子が、一方のリーフ部に支持され、隣りの端子三つ組の接地端子が、反対のリーフ部６６によって支持されている。接地端子と信号端子との間の分離は、端子の３つの範囲の内の２つに沿って行われ、図５Ａ及び５Ｂに概略的に示されている。回路基板用コネクタ５１の各端子は、好ましくは幅広のブレードの形態の平坦（たん）な接触部「Ｃ」と、接触部「Ｃ」がある平面から離間された平面内で水平方向に延在する薄い実装部分「Ｍ」（図１〜４及び５Ａでは表面実装脚として示されている）と、接触部と実装部分とを相互接続する本体部分「Ｂ」とを有するように解釈することができる。図５Ａの表面実装構造では、テール部、すなわち、実装部分Ｍが、回路基板５０の表面に沿っており、それに対して図５Ｂのスルーホール構造では、異なるリーフ部６５、６６に支持された端子テール部Ｍが、回路基板５０に形成されたスルーホールを貫通して突出するように互いに離間されている。
【００１６】
図３に戻ると、レセプタクルコネクタ５１は、コネクタ５１の内側ハウジング又は本体６０を構成するためにスナップ嵌（ば）め、圧入、あるいはその他の方法で嵌合することができる２つの嵌（はま）り合う本体部分６３、６４からなる内側ハウジング６０を含む。図４に示したように、端子の接触部「Ｃ」は、本体部分６３、６４のリーフ又はブレード６５、６６上に支持されており、この２つの部分の間の係合は、それらの後壁部分６７、６８の間又はそれに沿って行われることが好ましい。本体部分６３、６４を組立てた後、本体部分６３、６４を一緒に固定し、少なくとも本体部分「Ｂ」に関する限り、レセプタクルコネクタの端子を取囲みかつ／又は分離するように、後側又は外側ハウジング部分６２（図２及び３）を内側ハウジング６０の一部分にモールド成形することができる。
【００１７】
内側ハウジング６０と後部外側ハウジング６２とを良好に係合させるために、後部外側ハウジング６２の本体１３４は、窓又は通路と見なされることがある開口１３５を備えることができ、該開口１３５は、相補的形状のラグ又は突出部１３６を収容する。このラグ又は突出部１３６は、内側ハウジング６０の一部として形成されることが好ましく、図３に示すように、上側の第２の部分６３の一部として形成されている。このラグ１３６は、介在するスロット１３７によって支持されている。後部外側ハウジング６２は、内側ハウジング６０にスナップ嵌め又は圧入されてもよく、内側ハウジング６０上に一緒にモールド成形されてもよい。
【００１８】
一方のハウジングブレード６５の側縁７５は、切欠き又は凹部７６（図４）を備えていることが好ましく、その目的は、後で更に詳しく説明する。前に課題を解決するための手段の節で述べたように、端子７０、７１は、３個１組でハウジングブレード６５、６６に沿って配列されており、各三つ組の関連した接地端子７０は、ハウジングブレードの一方に支持され、三つ組の２つの差動信号端子７１は、２つのハウジングブレードの他方に支持されている。この並びは、内側ハウジング６０に沿って横方向に交互にされ、すなわち、反転されている。
【００１９】
次に図６及び９に移ると、この端子構造の並びがプラグコネクタに繰返され、ここで、２つの信号端子は、一連の仮想三角形「Ｔ」が逆にされた形で構成されるように、プラグ部材８０の交互の面に支持されている。図９に、そのような８つの端子三つ組Ｔ１〜Ｔ８が示されており、交互の並びが明確に示されている。中央の２つの三つ組Ｔ４、Ｔ５は、信号と接地とから成るこれまでのような三つ組でなくともよく、電源の入力と帰還又は状況情報に専用の端子などの他のタイプの端子でもよい。このような反転した端子三つ組の配置に関する利点及び他の構造的詳細は、前述の国際特許出願ＰＣＴ／ＵＳ０２／１８３７２に説明されている。
【００２０】
図７で最もよく分かるように、プラグコネクタ５３は、２つの部品８２、８３として形成されることが好ましく、かつ、複数の細長い導電性端子８４を支持する絶縁性内側本体部分８１を有する。端子８４は、一端に接触部８５と、他端に複数の差動信号ケーブル８７が終端する終端部分８６とを有する。そのようなケーブル８７は、外側保護カバー５６（図２）内に収容された絶縁性配線処理支持部材８８によって適所に保持されることがある。内側本体部分８１は、単一の端子８４を収容する複数のスロット９０を有することが好ましい。このプラグ部材８０は、特定の応用例において、コネクタ組立体に対してある程度の保持力を提供するが、特に、図面に示したように、外部ケーブル５４内に複数の差動信号ケーブルが保持されており、その直径が一般に１１〔ｍｍ〕以上になる状況では、更に大きい保持力が要求される。この大きなサイズでは、レセプタクルコネクタに嵌合されたときに、その重量によってプラグコネクタに歪（ひず）み又は引張り力がかかる。その力の一部に対抗するために、後部外側ハウジング６２は、後部ハウジング５２の本体から後方に突出する取付脚９４を備えることができる。そのような脚９４は、図２及び３に示したように中空となっており、回路基板５０を貫通し、かつ、ナット９６を使用して２つの部品を一緒に保持する取付ねじ又はボルト９５を収容する。
【００２１】
内側プラグ部材８１は、該内側プラグ部材８１と係合する後部９１から（前方に）突出する嵌合部分８９を有する外部プラグ端８０と係合する。突出嵌合部分は、回路基板用コネクタ５１の対応する相手側嵌合スロット又は差込み口に収容される。隆起した肩部９２は、内側プラグ部材８１の両端に配置されたスロット９３に収容される。嵌合部分８０にスロット９０が形成されており、これらのスロットは、端子８１を長さ方向に収容し、１つの端子が単一のスロットに収容される。端子８４は、図に示したように、当技術分野で知られているように、その接触部８５がプラグ部材嵌合部分のスロット９０を貫通して上方に延びるように湾曲した形状を有する。これらの隆起した形状８５は、レセプタクルコネクタの相手側端子と接触するときにわずかに撓（たわ）む。
【００２２】
本発明の重要な形態においては、図７、８、１０及び１１に示したように、２つのコネクタの一方、好ましくはプラグコネクタ５３は、一以上のラッチ部材１００を備えており、その内の２つが示されている。それらのラッチ部材１００は、突起を備えた保持脚１０２等が延在する保持部分又は本体部分１０１によって、プラグコネクタの内側ハウジング８１に固定される。そのような２つの脚１０２は、保持部分１０１から逆方向に延在するように示されており、プラグ部材８０（図１０）と配線処理部材８８（図７及び１１）に形成された対応する相手通路１０５、１０６に収容される。
【００２３】
各ラッチ部材１００は、細長いラッチアーム１１０を有するように示されており、該ラッチアーム１１０は、保持部分１０１の前方に片持ち支持された形で、内側本体部分８１に沿って、前方に、かつ、ブレード部材８０の上側で延在している。ラッチアーム１１０は、図８に最も良く示したように、プラグ嵌合部材８０の両端に沿って形成されたスロット又は溝１３９を貫通する。ラッチ部材１００の前方のラッチ端に、フック１１２の形の上方に突出するラッチが配置されている。このフック１１２は、外側シールド６１に形成されたラッチスロット１１６内に形成されたストップ又は係合面１１４と、向かい合って当たる後ろ向きの係合面１１３を有する（図１１）。このスロット１１６は内側ハウジング６０の切欠き７６と位置合せされており、ラッチ部材１００をレセプタクルコネクタの内側面にぶつかったり詰まったりする恐れなしに差込むことができる。ラッチフック１１２は、図８に示したように、部材８０の突出嵌合ブレードに沿って延在し、その前面８０ａ（図８）よりも後方に離されていることが好ましく、それにより、コネクタの密閉された嵌合領域内でラッチが行われ、ラッチフック１１２が外に露出してぶつかってしまうことがない。
【００２４】
また、アクチュエータラグ１２０が、ラッチアーム１１０に形成されることが好ましく、プラグコネクタ５３の外側導電性シェル１２６に形成された開口１２５を通って外側上方に延在する。これは、コネクタスロット１１６の対向ストップ面１１４との係合からラッチフック１１２を開放する手段を提供し、これにより、ユーザは、アクチュエータラグを押して、ラッチフック１１２を切離すことができる。外側導電性シェル１２６自体は、図６に示したように、外側絶縁性シース５６内に収容され、シースは、アクチュエータラグ１２０と当接するように位置決めされた内側肩部又は突出部１５６を備えることができる。そのような肩部１５６を押すことにより、ユーザは、ラッチフック１１２を押して相手側嵌合コネクタ５１との係合を外すことができる。
【００２５】
ラッチ部材１００は、ケーブルの重量から生じる可能性のある切離力に対抗するため、若しくは接続の完全性を確認するために、プラグ部材８０の高さよりも上又は下に保持されること好ましい。ラッチ部材１００を使用すると、約３０ポンド、場合によってはそれを超える衝撃荷重に耐えるように、２つのコネクタを切離すために必要な正（positive）保持力が大きくなる。
【００２６】
ラッチ部材１００は、前述のようにプラグシールド及び／又はハウジングの内側に配設されるとともに取囲まれ、それにより保護され、破損しにくくなる。ラッチ部材１００は、下方外側にかかる典型的な引張り力に対抗するように、コネクタ嵌合部分の水平な挿入軸Ｈ（図７）よりも上に配設されることが好ましいラッチアーム１１０を有する。ラッチ部材１００は、２つのコネクタ間の係合を維持し、したがって、各三つ組の端子間の接触を維持するのに役立つ。ラッチ部材１００と窓又はスロット１１６は、レセプタクルコネクタ５１の取付脚９４（図１１及び１２）の縦軸と位置合せされるか、好ましくは約１〔ｍｍ〕で３〜４〔ｍｍ〕を超えない距離「Ｄ」だけオフセットされることが好ましい。
このようにして、各三つ組内で端子の係合が確実に維持される。
【００２７】
本発明は、その精神から逸脱することなく他の特定の形態で実施できることを理解されよう。したがって、この例及び実施形態は、すべての点において例示的であり限定的でないものと考えるべきであり、本発明は本明細書に示した詳細に限定されるべきでない。
【図面の簡単な説明】
【００２８】
【図１】本発明の原理に従って構成された３つのコネクタ組立体の上面図である。
【図２】ケーブル用コネクタが回路基板用コネクタから取外された状態の図１のコネクタ組立体の斜視図である。
【図３】図１のコネクタ組立体の回路基板用（レセプタクル）コネクタの１つの分解図である。
【図４】請求項３の回路基板用コネクタのリーフハウジングの分解図である。
【図５Ａ】表面実装構造のレセプタクルコネクタの端子配列の概略図である。
【図５Ｂ】スルーホール構造のレセプタクルコネクタの端子配置の概略図である。
【図６】図１のコネクタ組立体に使用されるプラグ（ケーブル）コネクタの斜視図である。
【図７】図６のプラグコネクタの構成要素の分解斜視図である。
【図８】端子とラッチ部材が適所に配置された状態のプラグコネクタハウジング本体部分の斜視図である。
【図９】図６のプラグコネクタの正面立面図である。
【図１０】プラグコネクタシールドによって取囲まれたプラグコネクタ本体部分内のラッチ部材の位置決めを示すプラグコネクタの断面図である。
【図１１】相手側レセプタクルコネクタと嵌合されたプラグコネクタの斜視図である。
【図１２】嵌合されたコネクタ組立体のプラグコネクタとレセプタクルコネクタの上面詳細図である。
【図１】
2005530309.tif 000003
【図２】
2005530309.tif 000004
【図３】
2005530309.tif 000005
【図４】
2005530309.tif 000006
【図５Ａ】
2005530309.tif 000007
【図５Ｂ】
2005530309.tif 000008
【図６】
2005530309.tif 000009
【図８】
2005530309.tif 000010
【図７】
2005530309.tif 000011
【図９】
2005530309.tif 000012
【図１０】
2005530309.tif 000013
【図１１】
2005530309.tif 000014
【図１２】
2005530309.tif 000015
【手続補正書】
【提出日】平成15年9月9日(2003.9.9)
【手続補正１】
【補正対象書類名】特許請求の範囲
【補正対象項目名】全文
【補正方法】変更
【補正の内容】
【特許請求の範囲】
【請求項１】
差動信号用途に使用されるラッチコネクタであって、  複数の導電性端子（８４）を、ケーブル（８７）の信号線に接続可能な端子の少なくとも２つの列で支持する絶縁性内側本体部分（８１）と、  ハウジング（８１）内の別個の差動信号伝送チャネルを画定するあらかじめ選択された端子（６）の三つ組（７０、７１）であって、各差動信号伝送チャネルが、前記端子列の内の一方において互いに隣接して配置された１対の差動信号端子（７１）と、前記端子列の他方に差動信号端子と対向関係で配置された接地端子（７０）とを含み、差動信号伝送チャネルが交互に反転された配列で前記列に沿って連続的に配置され、これにより、各列内において、前記差動信号伝送チャネルの内の１つの前記１対の差動信号端子（７１）が別の差動信号伝送チャネルの接地端子（７０）に隣接する端子の三つ組と、  前記ハウジング（８１）によって支持され、嵌合コネクタ（５１）のシェル（１２６）内で穴（１２５）と係合するとともに、前記コネクタ（５３）と嵌合コネクタ（５１）を一緒に開放可能にロックするラッチ組立体（１００）とを有し、  前記ラッチ組立体（１００）が、前記ハウジング（８１）の両端に配置された１対のラッチ部材（１００）を含み、各ラッチ部材（１００）が、前記嵌合コネクタ（５１）と前記端子組間の接触を維持するために前記端子（８４）の外側で前記ハウジング（８１）の前方に延在する片持ち支持されたラッチアーム（１１０）を含むことを特徴とするラッチコネクタ（５３）。
【請求項２】
前記内側本体部分（８１）が、本体部分から外方に延在するプラグ部材（８０）を含み、前記端子（６９）が、前記プラグ部分（８０）の両面に配置されている、請求項１に記載のラッチコネクタ（５３）。
【請求項３】
前記端子（８４）の各々が、接触部（８５）、及び、ケーブル（８７）の信号線が終端することができる端子部分（８６）を含む、請求項２に記載のラッチコネクタ（５３）。
【請求項４】
ハウジング嵌合プラグ部材（８０）が、ハウジング本体部分（６０）と係合可能であり、前記ハウジング嵌合プラグ部材（８０）は、前記端子（８４）を収容する複数のスロット（９０）が配置されている、請求項３に記載のラッチコネクタ（５３）。
【請求項５】
複数のケーブル（８７）を、前記ハウジング（８１）に対してあらかじめ選択された位置に保持するために前記ハウジング（８１）と関連付けられた配線処理部材（８８）を更に含む、請求項１に記載のラッチコネクタ（５３）。
【請求項６】
前記ラッチ部材（１００）が、前記コネクタ（５３）内の前記ハウジング（８１）と配線処理部材（８８）との間の適所に保持されている、請求項５に記載のラッチコネクタ（５３）。
【請求項７】
前記ラッチ部材（１００）が、前記ハウジング本体（８１）と前記配線処理部材（８８）とにそれぞれ係合する保持脚（１０２）を含む、請求項６に記載のラッチコネクタ（５３）。
【請求項８】
前記ラッチ部材（１００）の各々が本体部分（１０１）を含み、保持脚（１０２）が本体部分（１０１）の２つの側面から外方に突出し、前記ラッチアーム（１１０）が前記本体部分（１０１）の他の側面から外方に突出している、請求項７に記載のラッチコネクタ（５３）。
【請求項９】
前記保持脚（１０２）が、前記本体部分（１０１）の２つの反対の側面から突出しており、前記ラッチアーム（１１０）が、前記保持脚（１０２）の中間において前記本体部分（１０１）から突出している、請求項８に記載のラッチコネクタ（５３）。
【請求項１０】
前記ラッチアーム（１１０）が、ラッチ穴（１２５）で終端する自由端を含み、ラッチ穴（１２５）が、前記ハウジングプラグ部材（８０）の挿入軸（Ｈ）から離間された高さに維持されている、請求項１に記載のラッチコネクタ（５３）。
【請求項１１】
前記ラッチアーム（１１０）とラッチフック（１１２）が、ハウジングプラグ部材（８０）の挿入軸（Ｈ）より上側に維持されている、請求項１０に記載のラッチコネクタ（５３）。
【請求項１２】
前記内側本体部分（８１）と端子（６９）を取囲み、嵌合コネクタ（５１）の一部分を収容する中空筐体を画定する導電性シェル（１２６）を更に含み、ラッチ組立体（１００）が、導電性シェル内で前記内側本体部分（８１）に沿って延在する１対の離間されたラッチ部材（１００）を含む、請求項１に記載のラッチコネクタ（５３）。
【請求項１３】
前記ラッチ部材（１００）が、嵌合コネクタ（５１）から前記ラッチ部材（１００）を切離すためのアクチュエータラグ（１２０）を含む、請求項１２に記載のラッチコネクタ（５３）。
【請求項１４】
前記ラッチ部材（１００）の各々が、前記ハウジング（８１）によって支持された本体部分（１００）と、該本体部分（１００）から延在しラッチフック（１１２）で終端するラッチアーム（１１０）とを含み、アクチュエータラグ（１２０）は、ラッチアーム（１１０）上のラッチフック（１１２）と前記本体部分との間の位置に配置され、前記導電性シェル（１２６）が、前記アクチュエータラグ（１２０）に対向して配置された開口（１２５）を含み、それにより、前記アクチュエータラグ（１２０）が、導電性シェルの開口（１２５）内に収容される、請求項１３に記載のラッチコネクタ（５３）。
【請求項１５】
前記ラッチ部材（１００）が、嵌合コネクタ（５１）を回路基板（５０）に取付ける箇所（９４）の外側で嵌合コネクタ（５１）と係合するように、前記導電性シェル（１２６）の横方向にあらかじめ選択された距離だけ離間されている、請求項１２に記載のラッチコネクタ（５３）。
【請求項１６】
前記ラッチ部材（１００）が、３０（３０ポンド〔ｌｂｓ〕）未満の分離力によって前記コネクタ（５３）が嵌合コネクタ（５１）から切離されるのに対抗できるように構成され配設された、請求項１２に記載のラッチコネクタ（５３）。
【請求項１７】
前記差動信号伝送ラインのそれぞれの前記差動信号端子（７１）と接地端子（７０）が、前記コネクタ（５３）の前から見たときに仮想三角形で配列された、請求項１に記載のラッチコネクタ（５３）。
【請求項１８】
前記アクチュエータラグ（１２０）が、前記ラッチ部材（１００）の本体部分（１０１）の上側に延在している、請求項１４に記載のラッチコネクタ（５３）。
【請求項１９】
ケーブル（８７）を前記ハウジング（８１）に対して適切な位置に保持する配線処理支持部材（８８）を更に含み、前記ラッチ部材（１００）が、配線処理支持部材（８８）と前記ハウジング（８１）とにそれぞれ係合する１対の保持脚（１０２）を含む、請求項１２に記載のラッチコネクタ（５３）。
【国際調査報告】
2005530309.tif 000016
2005530309.tif 000017
2005530309.tif 000018